(57)【特許請求の範囲】
【請求項１】
複数の収容部に収容された薬剤を合流させて吐出するための吐出具であって、
前記複数の収容部に収容された薬剤を、一定の積層方向に２層以上に積層された積層状態で合流させるための複数の分割流路と、
前記複数の分割流路のそれぞれに薬剤を供給する複数の供給口と、
を備え、
前記複数の分割流路のうち少なくとも１つは、その流路断面に沿った方向であって前記積層方向と垂直な方向において、流路断面の中心からずれた位置に前記供給口が形成されるとともに、その流路断面の前記積層方向に沿った幅が、前記供給口のずれた側とは反対側に向かって広くなるように形成されている
ことを特徴とする吐出具。
【請求項２】
請求項１に記載の吐出具であって、
前記複数の分割流路は、１つの流路を１つ以上の仕切板によって複数層に分割した形状であり、
前記仕切板は、前記積層方向と直交する面に対して傾いている
ことを特徴とする吐出具。
【請求項３】
請求項２に記載の吐出具であって、
前記仕切板を挟んで隣接する前記分割流路の前記供給口が、互いに異なる側にずれた位置に形成されている
ことを特徴とする吐出具。
【請求項４】
薬剤を収容するための複数の収容部と、
請求項１から請求項３までのいずれか１項に記載の吐出具と、
を備えることを特徴とする吐出器。
【発明の詳細な説明】
【技術分野】
【０００１】
本発明は、複数の収容部に収容された薬剤を合流させて吐出するための技術に関する。
【背景技術】
【０００２】
従来、薬剤を収容するための複数の収容部と、複数の収容部に収容された薬剤を合流させて吐出するための吐出具と、を備える吐出器が知られている。例えば、２種類の液を合流させて吐出する二液吐出器として、並設した一対のエアゾール缶に吐出具を嵌着し、各エアゾール缶に収容された液を吐出具から吐出するように構成したものが提案されている（特許文献１参照）。
【０００３】
具体的には、特許文献１に記載の二液吐出器は、左右に並立させた２本のエアゾール缶と、これらエアゾール缶上部を連結する吐出具と、を備えている。吐出具は、各エアゾール缶の各ステムから連通するノズルを備えている。ノズルの内部流路は、左右方向中間部分に縦設された１つの仕切板により左右２つの分割流路に区分されている。そして、レバーを利用して吐出具の押下ヘッドを押し下げて各ステムを押し下げることにより、各エアゾール缶内の液がノズルを介して吐出される。その際、ノズルの内部流路は左右２つの分割流路に区分されているため、各ステムから吐出された液が左右二層の積層状態で合流した後、ノズル先端から吐出される。
【先行技術文献】
【特許文献】
【０００４】
【特許文献１】特開平１１−３３４７６７号公報
【発明の概要】
【発明が解決しようとする課題】
【０００５】
ところで、分割流路を流れる薬剤の流量に偏りがある場合、合流時の積層状態に偏りが生じやすくなるという問題が考えられる。例えば、前述した特許文献１に記載の構成は、左右に並立させたエアゾール缶から左右の分割流路へそれぞれ薬剤が供給されるものであるが、仮に、ノズルの内部流路を上下に区分して上下２つの分割流路を形成した場合、その構造によっては、分割流路を流れる薬剤の流量が左右に偏りやすくなる。
【０００６】
具体的には、左側のエアゾール缶から供給される薬剤を、分割流路の流路断面の中心から左側にずれた位置の供給口を介して分割流路に供給すると、その分割流路において右側を流れる薬剤の流量が左側と比較して減少しやすくなるため、流量が左側に偏りやすくなる。同様に、右側のエアゾール缶から供給される薬剤を、分割流路の流路断面の中心から右側にずれた位置の供給口を介して分割流路に供給すると、その分割流路において左側を流れる薬剤の流量が右側と比較して減少しやすくなるため、流量が右側に偏りやすくなる。その結果、合流時の積層状態に偏りが生じやすくなるという問題が生じることが考えられる。
【０００７】
本発明は、こうした問題にかんがみてなされたものであり、供給口の位置のずれに起因した合流時の積層状態の偏りを抑制するための技術を提供することを目的としている。
【課題を解決するための手段】
【０００８】
本発明の吐出具は、複数の収容部に収容された薬剤を合流させて吐出するためのものである。この吐出具は、複数の収容部に収容された薬剤を、一定の積層方向に２層以上に積層された積層状態で合流させるための複数の分割流路と、複数の分割流路のそれぞれに薬剤を供給する複数の供給口と、を備える。そして、複数の分割流路のうち少なくとも１つは、その流路断面に沿った方向であって積層方向と垂直な方向において、流路断面の中心からずれた位置に供給口が形成されるとともに、その流路断面の積層方向に沿った幅が、供給口のずれた側とは反対側に向かって広くなるように形成されている。
【０００９】
流路断面の中心からずれた位置に供給口が形成された分割流路では、供給口のずれた側とは反対側の薬剤の流量が、供給口のずれた側と比較して、減少しやすくなるため、合流時の積層状態に偏りが生じやすくなる。この点、本発明では、分割流路の流路断面の積層方向に沿った幅が、供給口のずれた側とは反対側に向かって広くなるように形成されており、供給口のずれた側とは反対側の流量を増加させるように作用する。したがって、供給口の位置のずれに起因した合流時の積層状態の偏りを抑制することができる。
【００１０】
ところで、複数の分割流路は、１つの流路を１つ以上の仕切板によって複数層に分割した形状であり、仕切板は、積層方向と直交する面に対して傾いていてもよい。このような構成によれば、複数の分割流路を、簡単な構造で形成することができる。
【００１１】
また、仕切板を挟んで隣接する分割流路の供給口が、互いに異なる側にずれた位置に形成されていてもよい。このような構成によれば、隣接する分割流路同士で幅の違いが相殺されやすくなるため、分割流路を全体的にバランスよく配置することができる。
【００１２】
また、薬剤を収容するための複数の収容部と、上記吐出具と、を備える吐出器として構成してもよい。
【図面の簡単な説明】
【００１３】
【図１】二液吐出器の正面視における要部断面図である。
【図２】二液吐出器の側面視における要部断面図である。
【図３】吐出ヘッドの組立て前の平面図である。
【図４】吐出ヘッドの組立て前の側面視における断面図である。
【図５】吐出ヘッドの底壁部分の正面視における半断面図である。
【図６】吐出ヘッドのケーシングの要部正面図である。
【図７】吐出ヘッドのノズル部分の要部正面図である。
【図８】液の吐出形態を示す斜視図である。
【図９】変形例としての仕切板を備える吐出ヘッドのノズル部分の要部正面図である。
【発明を実施するための形態】
【００１４】
以下、本発明が適用された実施形態について、図面を用いて説明する。
図１〜図８に示すように、実施形態の二液吐出器１は、染毛剤の第１液（第１剤）及び第２液（第２剤）が収容された一対の（２つの）吐出用容器Ａと、吐出用容器Ａに収容された第１液及び第２液を合流させて吐出するための吐出具Ｂと、を備えている。第１液は、アルカリ剤（例えばアンモニアやモノエタノールアミン）が配合されており、ｐＨが高い液体である。また、第１液には、染毛のための染料が配合されている。一方、第２液は、酸化剤（例えば過酸化水素）が配合されており、ｐＨが低い液体である。一般に、毛髪化粧料組成物の第１剤は、第２剤と比較して、皮膚への刺激が強く、また、刺激臭が強い。なお、第１剤の刺激臭の要因としてはアンモニアが挙げられるが、これに限ったものではなく、例えば第１剤がアンモニウム塩を含有する場合も同様である。
【００１５】
吐出用容器Ａは、胴部１０の上面から上方付勢状態で押し込み可能にステム１１を突出した形態のもので、この例では一対の第１吐出用容器Ａ１及び第２吐出用容器Ａ２として、それぞれエアゾール缶を採用している。具体的には、第１吐出用容器Ａ１及び第２吐出用容器Ａ２は、第１胴部１０ａ及び第２胴部１０ｂの上面から上方付勢状態で押し込み可能に第１ステム１１ａ及び第２ステム１１ｂをそれぞれ突出している。各吐出用容器Ａ１，Ａ２には、ステム１１ａ，１１ｂを押し下げることで内蔵吐出弁が開弁し、収納ガス圧により液がステム１１ａ，１１ｂを介して吐出し、また、ステム１１ａ，１１ｂの押し下げを解除すると、ステム１１ａ，１１ｂが上方付勢により上昇し、内蔵吐出弁が閉じて液の吐出が停止する公知機構が用いられている。
【００１６】
一方、吐出具Ｂは、容器固定枠Ｂ１と、容器固定筒Ｂ２と、吐出ヘッドＢ３と、押圧操作部Ｂ４と、を備えている。
容器固定枠Ｂ１は、並設した第１吐出用容器Ａ１及び第２吐出用容器Ａ２の上端外周に嵌合させて両者を固定する役割を果たす。
【００１７】
容器固定筒Ｂ２は、容器固定枠Ｂ１を介して並設した第１吐出用容器Ａ１及び第２吐出用容器Ａ２の外周に下部を嵌合させる外周壁３０を備え、外周壁３０の上端から内方へ延設したフランジ状頂壁３１を介して内周壁３２を垂設しており、並設した一対の第１吐出用容器Ａ１及び第２吐出用容器Ａ２に掛け渡し嵌合させて緊縛している。また、前部及び後部にそれぞれ、内周壁３２、外周壁３０及びフランジ状頂壁３１を下方へ凹ませて形成した形態の、上面及び前後面を開口した前部凹部３３及び後部凹部３４を凹設している。
【００１８】
吐出ヘッドＢ３は、図１〜図７に示すように、横長楕円筒状のケーシング４０の前面から垂直に横長楕円筒状のノズル４１を突設し、ケーシング４０の下面左右からは一対の第１ステム嵌着筒４２及び第２ステム嵌着筒４３をそれぞれ垂設しており、内部に液誘導機構を備えている。
【００１９】
具体的には、図３〜図５に示すように、吐出ヘッドＢ３は、周壁４０ａと頂壁４０ｂとを備えたケーシング本体に一対の連結ヒンジ４４を介して開いた底壁４０ｃを延設した状態で形成され、組み付け時に超音波接合により底壁４０ｃをケーシング本体に固定するように構成されている。
【００２０】
液誘導機構は、吐出用容器Ａに収容された第１液及び第２液を、一定の積層方向（この例では上下方向）に３層に積層された積層状態で合流させてノズル４１から吐出するための機構を備えている。本実施形態では、図８に示すように、第１液層（内層）Ｌ１と、第１液層Ｌ１の上面及び下面を被覆する同横幅の２つの第２液層（外層）Ｌ２と、からなる３層の積層状態（断面パターン）で合流させる。
【００２１】
ここで、液誘導機構の具体的構造について説明する。ケーシング４０内には、中央部に区画壁４５が設けられ、ケーシング４０内が第１液用分割室４６と第２液用分割室４７とに左右方向において２つに分割されている。なお、区画壁４５はケーシング本体と一体に形成されたもので、下端部が底壁４０ｃ所定位置に凹設した嵌合凹部５１に嵌合する。
【００２２】
一方、ノズル４１の内部流路の基端部は、上下方向において間隔を空けて設けられた２つの仕切板４８ａ，４８ｂによって３層に分割され、３つの分割流路が形成されている。以下の説明では、これら３つの分割流路を、上から順に「上部分割流路」、「中部分割流路」、「下部分割流路」と称する。
【００２３】
そして、ケーシング４０の周壁４０ａにおけるノズル４１の突設箇所には、第１液用分割室４６から中部分割流路（ノズル４１内上下方向中央の分割区画）に連通する第１透孔４９と、第２液用分割室４７から上部分割流路及び下部分割流路（ノズル４１内上方及び下方の分割区画）にそれぞれ連通する第２透孔５０ａ及び第３透孔５０ｂと、が穿設されている。つまり、第１透孔４９、第２透孔５０ａ及び第３透孔５０ｂは、ケーシング４０内の第１液用分割室４６及び第２液用分割室４７から、ノズル４１内の３つの分割流路のそれぞれに、第１液及び第２液を供給する供給口として機能する。
【００２４】
ノズル４１は、正面視（ノズル４１の内部流路の流路断面に直交する方向から見た状態）において、ケーシング４０の左右方向（ノズル４１の内部流路の流路断面に沿った方向であって前述した積層方向（上下方向）と垂直な方向）における中央位置に形成されている。そして、第１液用分割室４６は、正面視において、ケーシング４０内の左右方向における中央部に設けられた区画壁４５の右側に形成されている。このため、第１透孔４９は、正面視において、ノズル４１の内部流路（中部分割流路）の流路断面の中心よりも右側にずれた位置に、中部分割流路の流路断面よりも小さいサイズで形成されている。一方、第２液用分割室４７は、正面視において、区画壁４５の左側に形成されている。このため、第２透孔５０ａ及び第３透孔５０ｂは、正面視において、ノズル４１の内部流路（上部分割流路及び下部分割流路）の流路断面の中心よりも左側にずれた位置に、上部分割流路及び下部分割流路の流路断面よりも小さいサイズでそれぞれ形成されている。
【００２５】
また、仕切板４８ａ，４８ｂは、上下方向（積層方向）と直交する向きではなく、直交面に対して傾いている。具体的には、中部分割流路は、その流路断面の上下方向に沿った幅が、第１透孔４９のずれた側（この例では右側）とは反対側（この例では左側）に向かって広くなるように形成されている。一方、上部分割流路及び下部分割流路は、その流路断面の上下方向に沿った幅が、第２透孔５０ａ及び第３透孔５０ｂのずれた側（この例では左側）とは反対側（この例では右側）に向かって広くなるように形成されている。
【００２６】
押圧操作部Ｂ４は、装着枠部８０と、押圧板８１と、を備えている。装着枠部８０は、容器固定筒Ｂ２の内周壁３２内面に嵌合させている。押圧板８１は、装着枠部８０の前縁にヒンジ８２を介して前縁部を連結している。押圧板８１は、後部上面を押圧部として構成しており、下面に突設した押圧突起８３をケーシング４０上面に当接しており、ヒンジ８２を中心に押圧部を押し下げ回動させると、吐出ヘッドＢ３が押し下げられるように構成している。
【００２７】
上記のように構成した二液吐出器１を使用する場合には、押圧部を押圧することで、押圧板８１がヒンジ８２を中心に回動して吐出ヘッドＢ３を押し下げ、第１吐出用容器Ａ１及び第２吐出用容器Ａ２の第１ステム１１ａ及び第２ステム１１ｂがそれぞれ押し下げられる。それにより、第１吐出用容器Ａ１内から第１ステム１１ａを介して吐出された第１液が、第１液用分割室４６から第１透孔４９を介して仕切板４８ａ，４８ｂの間に形成された中部分割流路（上下方向中央の分割区画）に吐出される。一方、第２吐出用容器Ａ２内から第２ステム１１ｂを介して吐出された第２液が、第２液用分割室４７から第２透孔５０ａ及び第３透孔５０ｂを介して仕切板４８ａの上方に形成された上部分割流路（上方の分割区画）及び仕切板４８ｂの下方に形成された下部分割流路（下方の分割区画）に吐出される。その結果、図８に示すように、第１液と第２液とが３層の積層状態で合流した後、ノズル４１の先端から吐出される。
【００２８】
特に、本実施形態では、分割流路の流路断面の上下方向（積層方向）に沿った幅が、第１透孔４９、第２透孔５０ａ及び第３透孔５０ｂのずれた側とは反対側に向かって広くなるように形成されており、広くなる側の流量を増加させるように作用する。したがって、第１透孔４９、第２透孔５０ａ及び第３透孔５０ｂの位置のずれに起因した積層状態の偏り（ずれた側と反対側の流量が減少することによる偏り）を抑制することができる。その結果、積層状態における各層の液量を左右方向で偏りのない均一な状態に近づけることができる。
【００２９】
なお、第１透孔４９、第２透孔５０ａ及び第３透孔５０ｂの左右方向の位置を一定にすることも可能ではあるが、ケーシング４０内の構造が複雑になってしまう。この点、本実施形態によれば、仕切板４８ａ，４８ｂを、積層方向と直交する面に対して傾けることで、積層状態の偏りを抑制するようにしているため、ケーシング４０内の構造を複雑にする必要が無く、簡単な構造で実現することができる。
【００３０】
また、仕切板４８ａ，４８ｂを挟んで隣接する中部分割流路の第１透孔４９と上部分割流路及び下部分割流路の第２透孔５０ａ及び第３透孔５０ｂとが、互いに異なる側にずれた位置に形成されている。このため、隣接する分割流路同士で上下方向の幅の違いが相殺され、分割流路を全体的にバランスよく配置することができる。
【００３１】
一方、本実施形態では、各吐出用容器Ａ１，Ａ２に収容されている第１液及び第２液が吐出具Ｂから吐出される際に、第２液の間に第１液が挟まれた３層の積層状態で合流し、第１液層Ｌ１が２つの第２液層Ｌ２によって上下から被覆される。このため、吐出具Ｂからの吐出液は、第１液が外面に露出しにくい状態で吐出される。したがって、染毛剤を第１剤が外面に露出しにくい状態で吐出することができる。
【００３２】
その結果、例えば、皮膚（頭皮）への刺激が強い第１液が直接皮膚に接触しにくくなるため、皮膚への刺激を抑制することができる。また例えば、刺激臭の強い第１液が露出しにくくなるため、吐出液の刺激臭を抑えることができる。また例えば、染料の含まれた第１液が露出しにくくなるため、地肌汚れなどについても生じにくくすることができる。なお、これらの効果は、第１剤が外面に露出しにくい状態で染毛剤を吐出することによる効果の一例であるが、これ以外の効果であってもよい。
【００３３】
また、本実施形態では、ノズル４１先端の流路（吐出口が開口された流路）の流路断面が、上下方向（縦方向）の寸法が左右方向（横方向）の寸法に比べて短い扁平形状であり、このような扁平形状を更に上下方向において分割することにより３つの分割流路が形成されている。このため、各分割流路は、上下方向の寸法が左右方向の寸法に比べて極めて短い扁平形状であり、隣り合う分割流路と扁平面（上下面）に沿って区分されている。したがって、積層状態における第１液の露出量（具体的には積層側面における露出量）を少なくすることができる。しかも、第１剤と第２剤とが扁平面において均等に接触しやすくなるため、混合の偏りを生じにくくすることができ、これにより染毛ムラを抑えることができる。加えて、第１液が積層状態において最も内側に配置されるため、第１液が最も露出しにくい積層状態で吐出液を吐出することができる。
【００３４】
また、分割流路は、合流後の流路と同じ形状の流路を仕切板４８ａ，４８ｂによって分割した形状のものであるため、分割流路から流出した第１液及び第２液の形状が合流後の流路においても維持されやすくなり、積層状態が崩れにくくなる。したがって、第１液を露出しにくくする効果を高くすることができる。
【００３５】
なお、本実施形態では、二液吐出器１が吐出器の一例に相当する。また、第１吐出用容器Ａ１及び第２吐出用容器Ａ２が収容部の一例に相当し、第１液及び第２液が薬剤の一例に相当する。また、吐出具Ｂが吐出具の一例に相当し、仕切板４８ａ，４８ｂが仕切板の一例に相当し、第１透孔４９、第２透孔５０ａ及び第３透孔５０ｂが供給口の一例に相当する。
【００３６】
以上、本発明の実施形態について説明したが、本発明は、上記実施形態に限定されることなく、種々の形態を採り得ることは言うまでもない。
（１）上記実施形態では、厚みが一定の仕切板４８ａ，４８ｂを例示したが（図７）、これに限定されるものではなく、厚みが一定でない仕切板４８ａ，４８ｂを用いてもよい。例えば図９に示す変形例としての仕切板４８ａ，４８ｂは、正面視において右側に向かって厚みが増加している。このような仕切板４８ａ，４８ｂを用いれば、左右方向の流量を適切な流量に調整することができる。具体的には、例えば、図７のように厚みが一定の仕切板４８ａ，４８ｂを用いた場合に、第１透孔４９からの流量の偏りを抑制しようとすると第２透孔５０ａ及び第３透孔５０ｂからの流量が右側に偏り、逆に、第２透孔５０ａ及び第３透孔５０ｂからの流量の偏りを抑制しようとすると第１透孔４９からの流量が右側に偏るような場合には、図９に示すような構成が有効となる。すなわち、仕切板４８ａ，４８ｂの厚みを右側に向かって増加させることで、右側への流量の偏りを全体的に抑制することができる。つまり、仕切板４８ａ，４８ｂを除いたノズル４１の内部流路の形状を変えることなく、各分割流路における左右方向の流量を各分割流路で独立して調整することができる。特に、分割流路を流れる薬液の粘度などが異なる場合、上下方向の幅の広がり度合いに対する流量の偏り度合いが異なり得るため、このような構成で調整することによる効果が高い。
【００３７】
（２）上記実施形態では、吐出具Ｂが、容器固定枠Ｂ１と、容器固定筒Ｂ２と、吐出ヘッドＢ３と、押圧操作部Ｂ４と、を備えているが、これらの部品の少なくとも一部を一体で形成して部品点数を減らしてもよく、逆に、より多い部品で構成してもよい。
【００３８】
（３）上記実施形態では、液を収容するための収容部としてエアゾール缶を用いた構成を例示したが、これに限定されるものではない。例えば、シリンダとピストンとを備えたポンプ機構を内蔵したものであってもよい。この場合にも、ステムの押し下げにより液が吐出し、押し下げを解除すると上方付勢力によりステムが上昇して液の吐出が停止する構成にすることが可能である。また、ステムの押し下げに限らず、例えばステムを傾けて液を吐出させる構成など、他の操作により液が吐出される構成としてもよい。また、ステムを備えない構成としてもよく、吐出操作の方法も特に限定されない。
【００３９】
（４）薬剤の形態は、流動可能な形態（流体）であれば特に限定されない。例えば、泡状（フォーム状）に吐出される形態や、粘性液状（例えばクリーム状）に吐出される形態などとしてもよい。こうした吐出形態は、各吐出用容器内の公知の起泡構造や収容液自体の物性などにより実現される。なお、液の保形性が高いほど、吐出液の断面パターンが視認されやすくなり、積層状態の偏りを抑制することで、断面パターンを均一な状態（各層の厚みが左右方向において一定の状態）に近づけることができる。また、泡状に吐出される場合のように、断面パターンが視認されにくい（視認できない）状態で吐出される場合であっても、吐出される前に積層状態で合流している点では同じであり、同様の効果が得られる。
【００４０】
（５）上記実施形態では、２つの外層及びそれらの間に挟まれた１つの内層からなる３層の積層状態で液を合流させる構成を例示したが、これに限定されるものではなく、２層の積層状態や４層以上の積層状態で液を合流させるようにしてもよい。具体的には、上記実施形態では、２つの仕切板４８ａ，４８ｂにより３つの分割流路を形成したが、このような仕切板を１つにすることで２つの分割流路を形成することができ、３つ以上にすることで４つ以上の分割流路を形成することができる。例えば、上記実施形態のように第１液及び第２液を合流させる場合に、第１液の上面を第２液で被覆した２層の積層状態で液を合流させてもよい。また例えば、第２液と第１液とを交互に積層した５層の積層状態で液を合流させてもよい。つまり、２つの外層と、これら２つの外層の間に挟まれた３つの内層のうち真ん中の１つの内層と、を第２液で構成し、残りの内層を第１液で構成する。ただし、上記実施形態のように３層にすると、第１液が積層状態において最も内側に配置され、第２液の外層の厚みを増やすことができるため、第１液が最も露出しにくい積層状態となり、第１液を露出しにくくする効果を高くすることができる。
【００４１】
（６）上記実施形態では、第１液及び第２液を合流させて吐出する二液吐出器を例示したが、これに限定されるものではなく、３つ以上の収容部に収容された３種類以上の液を合流させて吐出する構成としてもよい。例えば、３剤式の染毛剤を吐出するために用いることができる。この場合にも、第１剤が積層状態において外層とならないように合流させることで、同様の効果が得られる。例えば、皮膚への刺激や刺激臭が強く、染料を含む第１液（第１剤）を、皮膚への刺激や刺激臭が弱く、染料を含まない第２液（第２剤）及び第３液（第３剤）で挟んだ３層の積層状態や、第１液及び第３液を第２液で挟んだ４層の積層状態や、第１液及び第２液を第３液で挟んだ４層の積層状態などとすることができる。
【００４２】
（７）上記実施形態では、２つの収容部を２つのエアゾール缶を用いて構成しているが、これに限定されるものではなく、例えば、１つのエアゾール缶に複数のパウチ（内袋）が収容され、各パウチに液を収容した構成としてよい。
【００４３】
（８）上記実施形態では染毛剤を例示したが、これに限定されるものではなく、例えば脱色剤や脱染剤としてもよい。脱色剤や脱染剤は染料を含まないが、それ以外は染毛剤の場合と同様の効果が得られる。
【符号の説明】
【００４４】
１…二液吐出器、４０…ケーシング、４０ａ…周壁、４０ｂ…頂壁、４０ｃ…底壁、４１…ノズル、４５…区画壁、４６…第１液用分割室、４７…第２液用分割室、４８ａ，４８ｂ…仕切板、４９，５０ａ，５０ｂ…透孔、Ａ…吐出用容器、Ａ１…第１吐出用容器、Ａ２…第２吐出用容器、Ｂ…吐出具、Ｂ１…容器固定枠、Ｂ２…容器固定筒、Ｂ３…吐出ヘッド、Ｂ４…押圧操作部
【図１】
0005889042.tif 000002
【図２】
0005889042.tif 000003
【図３】
0005889042.tif 000004
【図４】
0005889042.tif 000005
【図５】
0005889042.tif 000006
【図６】
0005889042.tif 000007
【図７】
0005889042.tif 000008
【図８】
0005889042.tif 000009
【図９】
0005889042.tif 000010